(57)【要約】【課題】水分の除去効果の向上と、有機発光部における損傷の発生の低減を図ることができる発光装置および照明装置を提供することである。【解決手段】実施形態に係る発光装置は、第１基板と；前記第１基板と対峙して設けられた第２基板と；前記第１基板の前記第２基板と対峙する側の面に設けられた第１電極と；前記第１電極の上に設けられ、有機エレクトロルミネセンスにより発光する有機発光部と；前記有機発光部の上に設けられた第２電極と；前記第１基板の周縁近傍と、前記第２基板の周縁近傍と、の間に設けられ、枠状を呈する第１封止部と；前記第１封止部の内側に設けられ、前記有機発光部が設けられた領域を覆い、有機金属化合物を含む第２封止部と；前記第１電極と、前記第２電極と、の間を絶縁する絶縁部と；を具備している。    前記有機発光部の前記第１電極側の面以外の面は、前記第２電極および前記絶縁部の少なくともいずれかにより覆われている。【選択図】図１
2016162562.tif 000002
【特許請求の範囲】
【請求項１】
第１基板と；
前記第１基板と対峙して設けられた第２基板と；
前記第１基板の前記第２基板と対峙する側の面に設けられた第１電極と；
前記第１電極の上に設けられ、有機エレクトロルミネセンスにより発光する有機発光部と；
前記有機発光部の上に設けられた第２電極と；
前記第１基板の周縁近傍と、前記第２基板の周縁近傍と、の間に設けられ、枠状を呈する第１封止部と；
前記第１封止部の内側に設けられ、前記有機発光部が設けられた領域を覆い、有機金属化合物を含む第２封止部と；
前記第１電極と、前記第２電極と、の間を絶縁する絶縁部と；
を具備し、
前記有機発光部の前記第１電極側の面以外の面は、前記第２電極および前記絶縁部の少なくともいずれかにより覆われている発光装置。
【請求項２】
前記第２電極は、前記有機発光部の前記第１電極側の面と対峙する面、および前記第１電極側の面と交差する面に設けられている請求項１記載の発光装置。
【請求項３】
前記第２電極の幅寸法は、前記有機発光部の幅寸法よりも長い請求項１または２に記載の発光装置。
【請求項４】
前記第２電極の幅寸法は、１５０μｍ以下である請求項１〜３のいずれか１つに記載の発光装置。
【請求項５】
前記第２電極の幅寸法と、前記有機発光部の幅寸法と、の差は、１０μｍ以上である請求項３または４に記載の発光装置。
【請求項６】
筐体と；
前記筐体の内部に設けられた請求項１〜５のいずれか１つに記載の発光装置と；
を具備した照明装置。
【発明の詳細な説明】
【技術分野】
【０００１】
本発明の実施形態は、発光装置および照明装置に関する。
【背景技術】
【０００２】
有機エレクトロルミネセンス（ＯＥＬ：Organic Electro-Luminescence）により発光する有機発光部を備えた発光装置がある。  
近年においては、このような発光装置を照明装置に用いるようになってきている。  
ところが、有機エレクトロルミネセンスにより発光する有機発光部に水分（水蒸気）が侵入すると、発光特性が劣化する。  
そのため、捕水剤（乾燥剤とも称される）を含む捕水剤層を備えた発光装置が提案されている。  
この場合、有機発光部から離れた位置に捕水剤層を設けると、水分の除去効果が低下するおそれがある。  
一方、有機発光部と、捕水剤層とを接触させると、有機発光部に損傷が発生する場合がある。  
そのため、水分の除去効果の向上と、有機発光部における損傷の発生の低減を図ることができる発光装置および照明装置の開発が望まれていた。
【先行技術文献】
【特許文献】
【０００３】
【特許文献１】特開２００５−７９２号公報
【発明の概要】
【発明が解決しようとする課題】
【０００４】
本発明が解決しようとする課題は、水分の除去効果の向上と、有機発光部における損傷の発生の低減を図ることができる発光装置および照明装置を提供することである。
【課題を解決するための手段】
【０００５】
実施形態に係る発光装置は、第１基板と；前記第１基板と対峙して設けられた第２基板と；前記第１基板の前記第２基板と対峙する側の面に設けられた第１電極と；前記第１電極の上に設けられ、有機エレクトロルミネセンスにより発光する有機発光部と；前記有機発光部の上に設けられた第２電極と；前記第１基板の周縁近傍と、前記第２基板の周縁近傍と、の間に設けられ、枠状を呈する第１封止部と；前記第１封止部の内側に設けられ、前記有機発光部が設けられた領域を覆い、有機金属化合物を含む第２封止部と；前記第１電極と、前記第２電極と、の間を絶縁する絶縁部と；を具備している。  
前記有機発光部の前記第１電極側の面以外の面は、前記第２電極および前記絶縁部の少なくともいずれかにより覆われている。
【発明の効果】
【０００６】
本発明の実施形態によれば、水分の除去効果の向上と、有機発光部における損傷の発生の低減を図ることができる発光装置および照明装置を提供することができる。
【図面の簡単な説明】
【０００７】
【図１】第１の実施形態に係る発光装置１および照明装置１００を例示するための模式断面図である。
【図２】図１におけるＡ−Ａ線断面図である。
【図３】他の実施形態に係る発光部５０を例示するための模式断面図である。
【図４】第２の実施形態に係る発光装置６１および照明装置１１０を例示するための模式断面図である。
【発明を実施するための形態】
【０００８】
実施形態に係る発明は、第１基板と；前記第１基板と対峙して設けられた第２基板と；前記第１基板の前記第２基板と対峙する側の面に設けられた第１電極と；前記第１電極の上に設けられ、有機エレクトロルミネセンスにより発光する有機発光部と；前記有機発光部の上に設けられた第２電極と；前記第１基板の周縁近傍と、前記第２基板の周縁近傍と、の間に設けられ、枠状を呈する第１封止部と；前記第１封止部の内側に設けられ、前記有機発光部が設けられた領域を覆い、有機金属化合物を含む第２封止部と；前記第１電極と、前記第２電極と、の間を絶縁する絶縁部と；を具備した発光装置である。  
前記有機発光部の前記第１電極側の面以外の面は、前記第２電極および前記絶縁部の少なくともいずれかにより覆われている。  
この発光装置によれば、水分の除去効果の向上と、有機発光部における損傷の発生の低減を図ることができる。
【０００９】
また、前記第２電極は、前記有機発光部の前記第１電極側の面と対峙する面、および前記第１電極側の面と交差する面に設けることができる。  
この様にすれば、有機発光部において発生した光を第１基板側に効率よく出射させることができる。そのため、発光装置における光の取り出し効率を向上させることができる。
【００１０】
また、前記第２電極の幅寸法は、前記有機発光部の幅寸法よりも長くすることができる。
この様にすれば、有機発光部と第２封止部とが接触するのを確実に防止することができる。
【００１１】
また、前記第２電極の幅寸法は、１５０μｍ以下とすることができる。  
この様にすれば、外部から入射し、発光装置の内部を透過する光が減衰するのを抑制することができる。
【００１２】
また、前記第２電極の幅寸法と、前記有機発光部の幅寸法との差は、１０μｍ以上とすることができる。  
この様にすれば、有機発光部と第２封止部とが接触するのをさらに確実に防止することができる。
【００１３】
実施形態に係る発明は、筐体と；前記筐体の内部に設けられた上記の発光装置と；を具備した照明装置である。  
この照明装置によれば、水分の除去効果の向上と、有機発光部における損傷の発生の低減を図ることができる。
【００１４】
以下、図面を参照しつつ、実施の形態について例示をする。なお、各図面中、同様の構成要素には同一の符号を付して詳細な説明は適宜省略する。  
また、本明細書において、「光の透過性を有する」、「光を透過する」とは、光の透過率が１００パーセントの場合に限定されない。「光の透過性を有する」、「光を透過する」とは、少なくとも可視光の波長を有する光に対して透過率がゼロでなければよい。  
また、各図中の矢印Ｘ、Ｙ、Ｚは互いに直交する三方向を表している。例えば、基板２（第１基板の一例に相当する）または基板３（第２基板の一例に相当する）の主面に対して垂直な方向をＺ方向としている。また、基板２または基板３の主面に対して平行な平面内の１つの方向をＹ方向とし、Ｚ方向とＹ方向とに垂直な方向をＸ方向としている。  
また、本明細書において、「平面視」とは、Ｚ方向から見た場合を表している。
【００１５】
（第１の実施形態）  
図１は、第１の実施形態に係る発光装置１および照明装置１００を例示するための模式断面図である。  
図２は、図１におけるＡ−Ａ線断面図である。  
まず、本実施の形態に係る発光装置１について説明する。  
図１に示すように、発光装置１は、有機エレクトロルミネセンスにより発光する発光部１０と、外部から入射した光Ｌ２を透過させる透過部２０とを備えている。  
すなわち、発光装置１は、透過型の発光装置である。
【００１６】
発光装置１には、基板２、基板３、第１封止部４、発光部１０、絶縁部３１、および第２封止部３０が設けられている。  
基板２は、板状を呈している。  
基板２は、絶縁性と光の透過性とを有した材料を用いて形成されている。  
基板２は、例えば、ナトリウムやカリウムなどのアルカリ成分を含まない無アルカリガラス、ソーダ石灰ガラス（ソーダガラスとも称する）、石英、ポリエチレンテレフタレート、ポリプロピレン、ポリカーボネート、アクリルなどを用いて形成することができる。
【００１７】
基板３は、基板２に対峙して設けられている。  
基板３は、板状を呈している。  
基板３の材料は、基板２の材料と同じとすることができる。  
この場合、基板２と基板３は、透湿性が低く、アルコールなどの有機溶剤に対する耐性が高い材料から形成することが好ましい。  
例えば、基板２と基板３は、無アルカリガラス、ソーダ石灰ガラス、石英などの無機材料から形成することが好ましい。
【００１８】
第１封止部４は、基板２と基板３の間に設けられている。  
第１封止部４は、基板２の周縁近傍と、基板３の周縁近傍との間に設けられ、枠状を呈している。  
第１封止部４は、基板２および基板３の周縁を封止している。  
すなわち、第１封止部４は、基板２と基板３との間の空間を封止する。  
第１封止部４は、例えば、紫外線硬化型の樹脂や、フリットなどのガラス材料などから形成することができる。  
この場合、第１封止部４は、フリットなどのガラス材料のように透湿性の低い材料から形成することが好ましい。
【００１９】
発光部１０は、電極１１（第１電極の一例に相当する）、有機発光部１２、および電極１３（第２電極の一例に相当する）を有する。  
電極１１は、膜状を呈し、基板２の基板３と対峙する側の面に設けられている。  
なお、電極１１の形態は、平面視において線状または網目状とすることもできる。  
電極１１は、有機発光部１２と接触し、電気的に接続されている。  
電極１１は、例えば、有機発光部１２に正孔（ホール）を注入するための電極（陽極）とすることができる。  
また、電極１１は、有機発光部１２からの光Ｌ１を放射する側に設けられているので、光Ｌ１を透過させる機能をも有している。
【００２０】
そのため、電極１１は、導電性と光の透過性とを有した材料を用いて形成されている。  電極１１は、例えば、ＩＴＯ（Indium Tin Oxide）、ＺｎＯ（Zinc oxide）、ＩＺＯ（登録商標）、ＩＧＺＯ、ＬｉＦ／ＭｇＡｇ／Ａｇからなる積層膜などを用いて形成することができる。  
電極１１は、封止部４の外側に設けられた図示しない端子と電気的に接続されている。
【００２１】
有機発光部１２は、電極１１の上に設けられている。  
有機発光部１２は、平面視において線状を呈している。例えば、図２に示すように、有機発光部１２は、Ｙ方向に延びている。  
有機発光部１２は、Ｘ方向に所定の間隔を空けて、互いに平行となるように並べて複数設けられている。  
有機発光部１２は、有機エレクトロルミネセンスにより発光する。  
有機発光部１２は、例えば、有機発光ダイオード（ＯＬＥＤ；Organic light-emitting diode）などとすることができる。
【００２２】
有機発光部１２は、例えば、４，４’−ビス［Ｎ−（２−ナフチル）−Ｎ−フェニル−アミノ］ビフェニル（一般的に、α−ＮＰＤともいう）を含む正孔輸送層、トリス（８−キノリノラト）アルミニウム錯体（一般的に、Ａｌｑ３ともいう）を含む有機発光層、およびフッ化リチウム（ＬｉＦ）を含む電子注入層を積層したものとすることができる。  
ただし、有機発光部１２の材料や構成は例示をしたものに限定されるわけではなく適宜変更することができる。  
例えば、有機発光部１２は、有機発光層のみからなる単層構造とすることもできるし、フタロシアニンなどを含む正孔注入層、フルオレン誘導体などを含む電子輸送層をさらに有する多層構造とすることもできる。
【００２３】
電極１３は、有機発光部１２の上に設けられている。  
電極１３は、有機発光部１２と接触し、電気的に接続されている。  
電極１３は、平面視において線状を呈している。例えば、図２に示すように、電極１３は、Ｙ方向に延びている。  
電極１３は、所定の間隔を空けて互いに平行となるように複数設けられている。  
電極１３は、例えば、有機発光部１２に電子を注入するための電極（陰極）とすることができる。
【００２４】
電極１３は、導電性と、アルコールなどの有機溶剤に対する耐性を有する材料から形成することができる。  
なお、アルコールなどの有機溶剤に対する耐性については後述する。  
電極１３は、例えば、アルミニウムなどの金属から形成することができる。  
また、電極１３は、光の透過性をさらに有する材料から形成することもできる。  
電極１３が光の透過性をさらに有する材料から形成された場合には、有機発光部１２から出射した光Ｌ１は、発光装置１の正面側および背面側に放射される。この場合、発光装置１は、両面発光型の発光装置となる。
【００２５】
光の透過性をさらに有する電極１３は、例えば、ＩＴＯ、ＺｎＯ、ＩＺＯ（登録商標）、ＩＧＺＯ、ＬｉＦ／ＭｇＡｇ／Ａｇからなる積層膜などとを用いて形成することができる。
電極１３は、封止部４の外側に設けられた図示しない端子と電気的に接続されている。
【００２６】
絶縁部３１は、電極１１と電極１３の間に設けられている。  
絶縁部３１は、平面視において、枠状を呈し、複数の有機発光部１２のそれぞれの周囲を囲むように設けられている。  
絶縁部３１は、電極１１と電極１３との間を絶縁する。また、絶縁部３１は、外部から入射した光Ｌ２を透過させる。さらに、絶縁部３１は、アルコールなどの有機溶剤に対する耐性を有する。  
絶縁部３１は、例えば、無アルカリガラス、ソーダ石灰ガラス、石英、酸化シリコン、窒化シリコンなどの無機材料や、ポリプロピレン、ポリエチレンテレフタレートなどの有機材料を用いて形成することができる。
【００２７】
第２封止部３０は、基板２、基板３、および第１封止部４により画された空間の内部を満たすように設けられている。すなわち、第２封止部３０は、基板２、基板３、および第１封止部４により画された空間の内部に充填されている。  
第２封止部３０は、外部から侵入した水分（水蒸気）が有機発光部１２に到達するのを抑制するために設けられている。  
また、第２封止部３０は、外部から入射した光Ｌ２を透過させる。  
この場合、絶縁部３１と第２封止部３０が重なっている領域が、透過部２０となる。  
さらに、第２封止部３０は、電極１３同士の間を絶縁する。
【００２８】
第２封止部３０は、絶縁性と光の透過性とを有した材料に捕水剤（乾燥剤）を添加したものから形成することができる。  
この場合、絶縁性と光の透過性とを有した材料は、アルコールなどの有機溶剤に対する耐性をさらに有するものとすることが好ましい。  
第２封止部３０は、例えば、セルロース系のポリマー、ポリプロピレン、ポリエチレンテレフタレートなどに捕水剤を添加したものから形成することができる。  
捕水剤は、例えば、有機金属化合物を含むものとすることができる。  
第２封止部３０は、水分の透過を抑制するフィラーをさらに含むものとすることができる。フィラーは、例えば、粒子状や繊維状を呈し、タルク（talc）などの無機材料を含むものとすることができる。
【００２９】
捕水剤の含有量やフィラーの含有量を増やせば、外部から侵入した水分が有機発光部１２に到達し難くなる。  
しかしながら、捕水剤の含有量やフィラーの含有量を増やせば、外部から入射した光Ｌ２の透過が妨げられるおそれがある。  
そのため、捕水剤の含有量やフィラーの含有量は、発光装置１および照明装置１００の用途、設置環境などを考慮して決定することが好ましい。  
この場合、実験やシミュレーションを行うことで、適切な捕水剤の含有量やフィラーの含有量を求めることができる。
【００３０】
また、図１および図２においては、第２封止部３０が、基板２、基板３、および第１封止部４により画された空間の内部を満たすように設けられている場合を例示したが、第２封止部３０と第１封止部４との間に空間が設けられていてもよい。  
すなわち、第２封止部３０は、枠状の第１封止部４の内側に、空間を介して設けることもできる。  
空間の内部は、発光装置１の外部環境よりも減圧された状態とすることもできるし、乾燥ガスが大気圧（１．０気圧）程度の圧力に充填された状態とすることもできる。  
乾燥ガスは、例えば、乾燥した空気、乾燥した窒素ガス、乾燥した不活性ガス（例えば、アルゴンガスやヘリウムガスなど）などとすることができる。  
また、空間は、第２封止部３０の全周に設けられていてもよいし、分断された状態で第２封止部３０の周縁に沿って設けられていてもよい。例えば、第２封止部３０と第１封止部４とが接触している部分があってもよい。
【００３１】
第１封止部４と基板２の接合面、または、第１封止部４と基板３の接合面を介して、枠状の第１封止部４の内側に水分が侵入する場合がある。  
第１封止部４の内側に侵入した水分は、第２封止部３０に到達する。第２封止部３０と第１封止部４との間に空間が設けられている場合には、水分は、空間を介して第２封止部３０に到達する。この際、水分は、空間の内部を拡散して第２封止部３０に到達する。そのため、第２封止部３０に到達する単位面積当たりの水分量を低下させることができる。すなわち、侵入した水分が接触する第２封止部３０の面積を大きくすることができる。  
この場合、空間の内部に対流を生じさせることができれば、水分が拡散する範囲を拡げることができる。そのため、空間は、第２封止部３０の全周に設けられ、乾燥ガスが充填されているようにすることが好ましい。
【００３２】
ここで、基板３の基板２と対峙する側の面に捕水剤を含む部材を設けたり、捕水剤を含み有機発光部１２が設けられた領域を囲む枠状の部材を設けたりすることもできる。  
すなわち、有機発光部１２から離れた位置に捕水剤を含む部材を設けることもできる。  しかしながら、有機発光部１２から離れた位置に捕水剤を含む部材を設けると、有機発光部１２と捕水剤を含む部材の間を水分が通り抜けるおそれがある。
【００３３】
一方、有機金属化合物を含む捕水剤は、水分を化学吸着する際に以下のような化学反応を生じる。  
【化１】
2016162562.tif 000003
この場合、生成された物質は、アルコールなどの有機溶剤の性質を有する。  
そのため、有機発光部１２と捕水剤を含む部材とが接触していると、水分を化学吸着した際に生成された物質と有機発光部１２が反応して、有機発光部１２に損傷が発生するおそれがある。
【００３４】
そこで、有機発光部１２の電極１１側の面以外の面は、電極１３および絶縁部３１の少なくともいずれかにより覆われているようにしている。  
図１に例示をしたものの場合には、有機発光部１２の電極１１側の面と対峙する面は電極１３により覆われている。  
有機発光部１２の電極１１側の面と交差する面（側面）は、絶縁部３１により覆われている。  
そのため、水分を化学吸着する際に生成された物質と有機発光部１２が直接接触するのを抑制することができる。  
その結果、有機発光部１２における損傷の発生を低減させることができる。  
また、電極１３および絶縁部３１は、アルコールなどの有機溶剤に対する耐性を有する材料から形成されている。そのため、水分を化学吸着した際に生成された物質と、電極１３および絶縁部３１が直接接触したとしても電極１３および絶縁部３１に損傷が発生するのを抑制することができる。
また、電極１３の幅寸法は、有機発光部１２の幅寸法よりも長くすることができる。  
この様にすれば、有機発光部１２と第２封止部３０とが接触するのを確実に防止することができる。  
この場合、電極１３の幅寸法は、１５０μｍ以下とすることができる。  
この様にすれば、外部から入射し、発光装置１の内部を透過する光Ｌ２が減衰するのを抑制することができる。  
また、電極１３の幅寸法と、有機発光部１２の幅寸法との差は、１０μｍ以上とすることができる。  
この様にすれば、有機発光部１２と第２封止部３０とが接触するのをさらに確実に防止することができる。
【００３５】
また、第２封止部３０は、有機発光部１２が設けられた領域を覆うように設けられている。そのため、第２封止部３０と基板３の接合面に水分が侵入したとしても、水分は、捕水剤を含む第２封止部３０を透過しなければ有機発光部１２に到達することができない。  その結果、有機発光部１２から離れた位置に捕水剤を含む部材を設ける場合に比べて、水分の除去効果の向上を図ることができる。
【００３６】
また、第２封止部３０にフィラーがさらに含まれている場合には、捕水剤に捕捉されなかった水分が有機発光部１２に到達するのを抑制することができる。
【００３７】
次に、本実施の形態に係る照明装置１００について説明する。  
図１に示すように、照明装置１００は、発光装置１と筐体１０１を備えている。  
筐体１０１の内部には、発光装置１が設けられている。  
筐体１０１の一方の端面には、窓部１０１ａが設けられている。  
窓部１０１ａの内部には基板３が露出している。  
筐体１０１の他方の端面には、窓部１０１ｂが設けられている。  
窓部１０１ｂの内部には基板２が露出している。  
そのため、照明装置１００の一方の側から入射した光Ｌ２は、窓部１０１ａ、発光装置１、および窓部１０１ｂを介して、照明装置１００の他方の側から出射する。  
また、発光部１０から出射した光Ｌ１は、窓部１０１ｂを介して照明装置１００の外部に出射する。なお、両面発光型の発光装置の場合には、発光部１０から出射した光Ｌ１は、窓部１０１ａおよび窓部１０１ｂを介して照明装置１００の外部に出射する。
【００３８】
ここで、第２封止部３０と第１封止部４の間に空間が設けられている場合には、透過部２０と、空間とでは材料や屈折率が異なる。  
そのため、外部から入射した光Ｌ２が、透過部２０と、空間を透過する場合、光Ｌ２は、材料や屈折率が異なる２つの領域を透過することになる。その結果、透過部２０が設けられた中央領域と、空間が設けられた周縁領域とでは、透過した光Ｌ２の色味や明るさが異なるものとなるおそれがある。
【００３９】
そこで、本実施の形態においては、平面視において、窓部１０１ａおよび窓部１０１ｂの内部に空間が設けられた領域が露出しないようになっている。  
すなわち、平面視において、空間が設けられた領域と、筐体１０１とが重なるようになっている。  
そのため、発光装置１の周縁近傍において生じ得る色味や明るさが異なる領域を隠すことができる。
【００４０】
筐体１０１は、光Ｌ２が透過し難い材料から形成することができる。  
光Ｌ２が透過し難い材料は、例えば、金属、不透明な樹脂、不透明な無機材料などとすることができる。
【００４１】
本実施の形態に係る照明装置１００は、例えば、自動車などの移動体に設けられる照明装置、住宅などの建築物に設けられる照明装置、屋外施設に設けられる照明装置、読書灯などの器具に設けられる照明装置とすることができる。
【００４２】
また、例えば、本実施の形態に係る発光装置１を備えた照明装置１００が自動車の窓などに設けられた場合には、昼間は外光（光Ｌ２）を取り入れることができ、夜間などに車内を明るくしたい場合には照明装置として用いることができる。そのため、外光を有効利用することができるので、省エネルギーとなる。また、自動車の窓などと一体化できるので、デザイン的、スペース的にも優れたものとすることができる。
【００４３】
図３は、他の実施形態に係る発光部５０を例示するための模式断面図である。  
図３に示すように、発光部５０は、電極１１、有機発光部１２、および電極１３ａ（第２電極の一例に相当する）を有する。  
電極１３ａは、有機発光部１２の表面に設けられている。  
電極１３ａは、有機発光部１２と接触し、電気的に接続されている。  
電極１３ａは、平面視において線状を呈している。電極１３ａは、例えば、Ｙ方向に延びている。  
電極１３ａは、所定の間隔を空けて互いに平行となるように複数設けられている。  
電極１３ａは、例えば、有機発光部１２に電子を注入するための電極（陰極）とすることができる。  
電極１３ａの材料は、電極１３の材料と同様とすることができる。
【００４４】
絶縁部３１ａは、電極１３ａと電極１１の間に設けられている。  
絶縁部３１ａは、平面視において、枠状を呈し、複数の有機発光部１２のそれぞれの周囲を囲むように設けられている。  
絶縁部３１ａは、電極１３ａと電極１１の間を絶縁する。  
絶縁部３１ａの材料は、絶縁部３１の材料と同様とすることができる。
【００４５】
本実施の形態においても、有機発光部１２の電極１１側の面以外の面は、電極１３ａおよび絶縁部３１ａの少なくともいずれかにより覆われている。  
図３に例示をしたものの場合には、有機発光部１２の電極１１側の面と対峙する面は電極１３ａにより覆われている。  
有機発光部１２の電極１１側の面と交差する面（側面）は、絶縁部３１ａおよび電極１３ａにより覆われている。
【００４６】
本実施の形態においても、前述した水分の除去効果の向上と、有機発光部１２における損傷の発生の低減を図ることができる。  
また、本実施の形態においては、電極１３ａは、有機発光部１２の電極１１側の面と対峙する面、および電極１１側の面と交差する面に設けられている。  
すなわち、電極１３ａは、有機発光部１２の電極１１側以外の面に設けられている。  
この場合、電極１３ａは、アルミニウムなどの反射率の高い材料から形成することができるので、有機発光部１２において発生した光Ｌ１を基板２側に効率よく出射させることができる。すなわち、発光装置における光の取り出し効率を向上させることができる。
【００４７】
（第２の実施形態）  
図４は、第２の実施形態に係る発光装置６１および照明装置１１０を例示するための模式断面図である。  
図４に示すように、照明装置１１０は、発光装置６１と筐体１１１を備えている。  
発光装置６１は、ボトムエミッション型の発光装置である。そのため、発光装置６１には、前述した透過部２０が設けられていない。
【００４８】
発光装置６１には、基板２、基板３、第１封止部４、発光部６０、絶縁部３１ｂ、および第２封止部３０が設けられている。  
発光部６０は、電極１１、有機発光部６２、および電極６３（第２電極の一例に相当する）を有する。  
有機発光部６２は、膜状を呈し、電極１１の上に設けられている。  
有機発光部６２は、例えば、有機発光ダイオードなどとすることができる。  
有機発光部６２の材料および構成は、例えば、前述した有機発光部１２の材料および構成と同様とすることができる。
【００４９】
電極６３は、膜状を呈し、有機発光部６２の表面に設けられている。  
電極６３は、有機発光部６２と接触し、電気的に接続されている。  
電極６３の材料は、前述した電極１３の材料と同様とすることができる。  
この場合、電極６３がアルミニウムなどの金属から形成された場合には、有機発光部６２から出射した光Ｌ１は、発光装置６１の正面側に放射される。  
電極６３が導電性と光の透過性とを有する材料から形成された場合には、有機発光部６２から出射した光Ｌ１は、発光装置６１の正面側および背面側に放射される。この場合、発光装置６１は、両面発光型の発光装置となる。
【００５０】
絶縁部３１ｂは、平面視において、枠状を呈し、有機発光部６２の周囲を囲んでいる。  絶縁部３１ｂは、電極６３と基板２の間に設けられている。  
絶縁部３１ｂは、電極６３と電極１１の間を絶縁する。  
絶縁部３１ｂの材料は、絶縁性を有するものであれば特に限定はない。
【００５１】
本実施の形態においても、有機発光部６２の電極１１側の面以外の面は、電極６３および絶縁部３１ｂの少なくともいずれかにより覆われている。  
図４に例示をしたものの場合には、有機発光部６２の電極１１側の面と対峙する面は電極６３により覆われている。  
有機発光部６２の電極１１側の面と交差する面（側面）は、絶縁部３１ｂおよび電極６３により覆われている。
【００５２】
本実施の形態においても、前述した水分の除去効果の向上と、有機発光部６２における損傷の発生の低減を図ることができる。  
すなわち、発光装置６１がボトムエミッション型の発光装置である場合も、前述した発光装置１と同様の効果を享受することができる。  
また、本実施の形態においては、電極６３は、有機発光部１２の電極１１側の面と対峙する面、および電極１１側の面と交差する面に設けられている。  
すなわち、電極６３は、有機発光部１２の電極１１側以外の面に設けられている。  
この場合、電極６３は、アルミニウムなどの反射率の高い材料から形成することができるので、有機発光部１２において発生した光Ｌ１を基板２側に効率よく出射させることができる。すなわち、発光装置における光の取り出し効率を向上させることができる。
【００５３】
筐体１１１の内部には、発光装置６１が設けられている。  
筐体１１１の端面には、窓部１１１ａが設けられている。  
窓部１１１ａの内部には基板２が露出している。  
発光部６０から出射した光Ｌ１は、窓部１１１ａを介して照明装置１１０の外部に出射する。なお、発光装置６１が両面発光型の発光装置の場合には、前述した筐体１０１と同様に基板３が露出する窓部を設けるようにすればよい。  
筐体１１１の材料などは、前述した筐体１０１と同様とすることができる。
【００５４】
本実施の形態においても、平面視において、窓部１１１ａの内部に空間が設けられた領域が露出しないようになっている。  
すなわち、平面視において、空間が設けられた領域と、筐体１１１とが重なるようになっている。  
そのため、発光装置６１の周縁近傍において生じ得る色味や明るさが異なる領域を隠すことができる。
【００５５】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５６】
１  発光装置、２  基板、３  基板、４  第１封止部、１０  発光部、１１  電極、１２  有機発光部、１３  電極、１３ａ  電極、２０  透過部、３０  第２封止部、３１  絶縁部、３１ａ  絶縁部、３１ｂ  絶縁部、５０  発光部、６０  発光部、６１  発光装置、６２  有機発光部、６３  電極、１００  照明装置、１０１  筐体、１１０  照明装置、１１１  筐体
【図１】
2016162562.tif 000004
【図２】
2016162562.tif 000005
【図３】
2016162562.tif 000006
【図４】
2016162562.tif 000007